(57)【要約】【課題】    調理済み食品、特にご飯を温風で加熱するときに、食器に接触した部分の乾燥を抑えながら加熱することができる食器を提供すること。【解決手段】  椀型食器であって、その側面部において、蓋を支持しうる上縁部の下方０．５ｃｍから食器の中心である底面表面までの垂直方向距離の半分の高さの位置までの側面部上部が肉厚に構成されている食器。  前記側面部上部の肉厚部厚さの最高値が、該垂直方向距離の半分の高さの位置から底面表面の位置までの側面部下部の側面厚さの１．２〜３倍である食器は好ましい態様である。【選択図】    図４
2010193916.tif 000002
【特許請求の範囲】
【請求項１】
椀型食器であって、その側面部において、蓋を支持しうる上縁部の下方０．５ｃｍから食器の中心である底面表面までの垂直方向距離の半分の高さの位置までの側面部上部に肉厚部が構成されている食器。
【請求項２】
前記側面部上部の肉厚部厚さの最高値が、該垂直方向距離の半分の高さの位置から底面表面の位置までの側面部下部の側面厚さの１．２〜３倍であることを特徴とする請求項１に記載の食器。
【請求項３】
前記食器が、ポリプロピレン樹脂によって構成されていることを特徴とする請求項１または２に記載の食器。
【発明の詳細な説明】
【技術分野】
【０００１】
本発明は、チルド冷蔵保管と再加熱によって、調理済み食品、特にご飯を加熱するのに好適に使用できる樹脂製食器に関する。さらに詳しくは、本発明は、特定の形状を有した調理済み食品の乾燥に好適な食器に関する。
【背景技術】
【０００２】
学校、病院、企業内食堂などでは大量の食品が配膳されている。近年チルド冷蔵保管と再加熱の技術が大幅に改善されてきたことと、そのための機器の入手が容易になってきた（例えば特許文献１）ことから、食品を良好な環境で調理し、必要に応じて加熱して食事に供する方法が注目されるようになった。
【０００３】
このような調理済み食品を急速冷蔵して保管し、配膳前に再加熱して提供する方式は、クックチルシステムと呼ばれている。クックチルを使用すれば特殊な食品添加物を使用しなくとも、保管が可能であり、味のよい食品を暖かい状態で提供できるという利点がある。チルド冷蔵保管し、再加熱して食事に供するのに、調理済み食品を収容した食器をトレイ上に載置して、温風によって調理済みを加熱する方法が用いられている。
【０００４】
ところが、冷蔵保管した調理済み食品を、食事に供するに際して温風によって再加熱するとき、食器に接触している部分の水分が蒸発してしまい、乾燥するという問題があった。調理済み食品の加熱を促進するために、蓋が調理済み食品と接触する構造の食器が提案されている（例えば特許文献２）が、提案されている食器を用いてもなお食器と接触する部分の乾燥を防ぐには十分ではなかった。特に調理済み食品がご飯であるとき、再加熱後のご飯の上面部周辺は、乾燥して食感及び食味が低下するため、喫食の楽しみ及び食欲がそがれるという問題があった。
【先行技術文献】
【特許文献】
【０００５】
【特許文献１】特開２００５−３２８８５９号公報
【特許文献２】特開２００５−１４４０１３号公報
【発明の概要】
【発明が解決しようとする課題】
【０００６】
本発明者は、前記従来技術の課題を解決するために食器形状の改良に鋭意努力した結果本発明に到達したものである。
すなわち本発明は、調理済み食品を温風で加熱するときに、食器に接触した部分の乾燥を抑えながら加熱することができる食器を提供するものである。
本発明の食器は、調理済みご飯を温風で加熱するときに、食器に接触した部分の乾燥を抑えながら加熱することができる飯椀として好適な食器を提供するものである。
【課題を解決するための手段】
【０００７】
本発明は、椀型食器であって、その側面部において、蓋を支持しうる上縁部の下方０．５ｃｍから食器の中心である底面表面までの垂直方向距離の半分の高さの位置までの側面部上部に肉厚部が構成されている食器を提供するものである。
【０００８】
前記側面部上部の側面部厚さの最高値が、該垂直方向距離の半分の高さの位置から底面表面の位置までの側面部下部の側面厚さの１．２〜３倍である前記した食器は本発明の好ましい態様である。
【０００９】
前記食器が、ポリプロピレンまたはそれと同程度の熱伝導特性を有する樹脂によって構成されている食器は本発明の好ましい態様である。
【発明の効果】
【００１０】
本発明により、調理済み食品を温風で加熱するときに、食器に接触した部分の乾燥を抑えながら加熱することができる食器が提供される。
本発明により、調理済みご飯を温風で加熱するときに、食器に接触した部分の乾燥を抑えながら加熱することができる飯椀が提供される。
【図面の簡単な説明】
【００１１】
【図１】従来形状の食器の例を示す断面図である。
【図２】本発明の食器の一例を示す断面図である。
【図３】図２の食器の一部拡大断面図である。
【図４】本発明の食器で蓋を被せた態様を示す断面図である。
【発明を実施するための形態】
【００１２】
本発明は、椀型食器であって、その側面部において、蓋を支持しうる上縁部の下方０．５ｃｍから食器の中心である底面表面までの垂直方向距離の半分の高さの位置までの側面部上部が肉厚に構成されている食器を提供するものである。
【００１３】
前記側面部上部の肉厚部厚さの最高値が、該垂直方向距離の半分の高さの位置から底面表面の位置までの側面部下部の厚さの１．２〜３倍、より好ましくは１．５〜２．５倍である前記した食器は本発明の好ましい態様である。
【００１４】
従来のクックチルに用いられている椀型食器は図１の（１）または（２）に示されているような形状が主流であって、加熱時には蓋を被せて使用されている。本発明において蓋を支持しうる上縁部というのは、図１の（１）の形状の椀型食器においては側面部上縁であり、図１の（２）の形状の椀型食器においては蓋を係止させる内方突起部をいう。
【００１５】
図２に本発明の食器の一例を示す断面図が示されている。図２の椀型食器は図１に示した形状の椀型食器と同様に側面部上縁において蓋を支持しうる形状である。図２において、食器の側面部上部が肉厚に構成されていることがわかる。
【００１６】
図３は、図２に示された食器の半分を糸尻部を除外して示した断面図である。図３には、その側面部において、垂直方向距離で蓋を支持しうる上縁部をＡとして、Ａの下方垂直距離αの位置をＢとし、食器の中心である底面表面の位置をＣとして、ＢとＣの垂直方向距離の半分の高さの位置をＤとして示されている。ＡＢ間の距離αは、０．５ｃｍであることが好ましい。ＢからＤの間が側面部上部であり、ＣからＤが側面部下部である。本発明の食器では、側面部上部において肉厚部分が設けられている。
【００１７】
図３において、ＢからＤの間の側面部上部に肉厚部が設けられており、該側面部上部における肉厚の最高値はＣからＤの間の側面部下部の厚さの平均値の１．２〜３倍、より好ましくは１．５〜２．５倍であることが望ましい。また、側面部上部における肉厚の最高値は、絶対値にして５ｍｍ程度であることが望ましい。側面部上部に設けられた肉厚部は、肉厚が最高値を示す位置（ａ）を挟んで少なくとも１０ｍｍ、より好ましくは１２〜２０ｍｍ程度あることが望ましい。側面部下部の厚さは、ＣからＤの中間点における側面部の厚さとすることができる。
なお、本発明における側面部の厚さとは、側面中心線に垂直の方向で測定した厚さをいう。
【００１８】
本発明の食器が、図１の（２）に示された食器のように蓋を係止させる内方突起部を有する形状である場合には、蓋を支持しうる上縁部Ａは、内方突起部の上縁となる。
【００１９】
本発明の食器に調理済み食品、特にご飯を盛り付けて再加熱した場合、再加熱後のご飯の上面部周辺は、乾燥することなく食感及び食味を維持することができるという効果を発揮する。
【００２０】
本発明の食器の素材は、特に制限はなく、従来公知の素材から適宜選択することができる。例えば、ポリプロピレン、ポリエーテルサルホンなどの熱可塑性樹脂や、メラミン樹脂などの熱硬化製樹脂、陶磁器などで構成することができる。調理済み食品の乾燥という観点からは、中でも食器の素材はポリプロピレンが好適に使用される。
【００２１】
また、熱伝導特性の観点から密度が１．２ｇ／ｃｍ３以下である樹脂は、ポリプロピレンと同様に好適に使用することができると考えられるが、ポリプロピレンが特に好ましい素材である。
【００２２】
本発明の椀型食器には、温風によって加熱する際に蓋を被せて使用される。蓋の形状には特に制限はなく、椀型食器の形状に合わせて適宜選択することができる。
図４には、図２に示された本発明の椀型食器に蓋を被せた態様が示されている。
【００２３】
本発明の椀型食器には、通常底部分に糸尻が設けられる。糸尻の形状には特に制限はなく、容器の底が持ち上がるような高さに設定される。糸尻７に温風が通風し得る大きさの切欠状の開口部を形成すると、加熱時に糸尻７内にも温風が入り込み効率よく加温することができる。
【実施例】
【００２４】
（１）食器形状
素材がポリプロピレン、ＡＢＳ及びメラミン樹脂であり、上縁部に蓋を係止させる突起のない形状であって、表１に記載した構成の直径１４ｃｍ、容器容量が約４５０ｍｌの椀型食器を用いた。
【００２５】
【表１】
2010193916.tif 000003
単位：ｍｍ
【００２６】
（２）再加熱実験条件
各試験食器に、市販パックご飯を各々１５０ｇ盛り付け、容器ごと５℃まで冷却し蓋をし、１２０℃エアーオーブン中で４０分加熱した後、ご飯の上面部で食器と接触する周辺部を目視によって観察し、その後上面周辺部の加熱ご飯を試食して食感を確認して、下記基準で評価した。
【００２７】
外観：
４：乾燥は見られない
３：縁部に若干の乾燥がみられる
２：縁部に若干の乾燥とこびりつきがみられる
１：縁部が乾燥し固くこびりついている
【００２８】
食感：
４：違和感なく普通に食することができる
３：若干の異物感があるが食することができる
２：異物感はあるが食することはできる
１：異物感が大きく食する気にならない
【００２９】
（３）試験結果
試験結果を、表２に示した。
【００３０】
【表２】
2010193916.tif 000004
表２から、本発明の食器において、加熱後のご飯の乾燥が抑制され、食味が維持されていることがわかる。メラミン製の従来形状の食器においては、ご飯の乾燥が顕著で、食感の低下が著しかった。
【産業上の利用可能性】
【００３１】
本発明により、調理済み食品、特にご飯を温風で加熱するときに、食器に接触した部分の乾燥を抑えながら加熱することができる椀型食器が提供される。
本発明により提供される椀型食器は、クックチルシステム用の食器として好適に使用される食器である。
【符号の説明】
【００３２】
１．食器
２．側面部上部
３．食器上縁部
【図１】
2010193916.tif 000005
【図２】
2010193916.tif 000006
【図３】
2010193916.tif 000007
【図４】
2010193916.tif 000008